(57)【要約】【課題】省力、短期間で施工でき、緑化場所が限定されず広く利用できる緑化ユニット装置及びそれを用いた構造体の緑化構造を提供する。【解決手段】一面を開口した有底箱型容器であり、内部１８に植物培地を収容した緑化容器１２と、緑化容器１２を囲むように枠内配置しその内孔端面Ｇを緑化容器１２の開口面Ｆと概略面一状に支持する枠体１４と、枠体１４の内孔端面Ｇに対して緑化容器１２の開口面を所要の角度に変更調整し、かつその変更位置で枠体１４に対して緑化容器１２を係止保持させる角度調整係止手段（１６）と、を有することを特徴とする緑化ユニット装置１０から構成される。枠体１４を介して構造体に取り付けて簡便に緑化施工できる。さらに、角度調整係止手段（１６）を介して、屋根や外壁等に緑化部分の形態に対応した緑化施工を良好に行なうことができる。【選択図】図２
2007151429.tif 000002
【特許請求の範囲】
【請求項１】
一面を開口した有底箱型容器であり、内部に植物培地を収容した緑化容器と、
緑化容器を囲むように枠内配置しその内孔端面を緑化容器の開口面と概略面一状に支持する枠体と、
枠体の内孔端面に対して緑化容器の開口面を所要の角度に変更調整し、かつその変更位置で枠体に対して緑化容器を係止保持させる角度調整係止手段と、を有することを特徴とする緑化ユニット装置。
【請求項２】
角度調整係止手段は、緑化容器の開口面一辺側を枠体に軸支し、緑化容器の開口面対向他辺側を一辺側軸周りに回動させることにより枠体の内孔端面に対する緑化容器の開口面の角度を変更調整するものであることを特徴とする請求項１記載の緑化ユニット装置。
【請求項３】
枠体は、複数の緑化容器を列状に配備させた一体枠からなることを特徴とする請求項１または２記載の緑化ユニット装置。
【請求項４】
角度調整係止手段は、緑化容器の開口面一辺側を枠体に軸支する第１軸支部と、
緑化容器の開口面対向他辺側を一辺側軸周りに回動させて所要の回動位置で枠体に対して緑化容器を係止させる調整係止部と、を備えたことを特徴とする請求項１ないし３のいずれかに記載の緑化ユニット装置。
【請求項５】
調整係止部は、緑化容器又は枠体側に取り付けた軸孔に軸を嵌挿させて緑化容器の開口面対向他辺側を支持する第２軸支部を含み、第１、第２軸支部はそれぞれ枠体並びに緑化容器に対して着脱可能となっていることを特徴とする請求項４記載の緑化ユニット装置。
【請求項６】
第１軸支部及び／又は第２軸支部は、緑化容器に固定された軸孔筒と、
該軸孔筒と枠体の軸孔とを位置合わせした状態で嵌挿するロッドと、を含む請求項５記載の緑化ユニット装置。
【請求項７】
緑化容器の内部には、保水用の仕切り壁が立てて設けられた請求項１ないし６のいずれかに記載の緑化ユニット装置。
【請求項８】
枠体は緑化容器の開口面の角度の変更調整位置側が下部位置となるように立てて配置され、
緑化容器の開口面の角度が斜め上向きとなるように設定されており、
緑化容器には、上部側の緑化容器の重力水を下部側の緑化容器の植物培地に向けて流下させる通水孔が設けられた請求項１ないし７のいずれかに記載の緑化ユニット装置。
【請求項９】
通水孔は、仕切り壁の立設端部と略同じ深さ位置に設定されたことを特徴とする請求項８記載の緑化ユニット装置。
【請求項１０】
緑化部が構造体の外壁部であり、
緑化容器の開口面の角度の変更調整位置側が下部位置となるように枠体を立てて外壁部前面側に固定させ、
角度調整係止手段を介して枠体の内孔端面に対する緑化容器の開口面の角度を斜め上向きとなるように設定させてなる請求項１ないし９のいずれかの装置を用いた構造体の外面の緑化構造。
【請求項１１】
緑化部が構造体の屋根又は屋上部であり、
枠体を屋根又は屋上部と平行な状態で固定させ、
角度調整係止手段を介して枠体の内孔端面と緑化容器の開口面とを概略面一状となるように設定させてなる請求項１ないし９のいずれかの装置を用いた構造体の外面の緑化構造。
【発明の詳細な説明】
【技術分野】
【０００１】
本発明は、例えば、建物の屋根、屋上、外壁面等を緑化するのに好適な緑化ユニット装置及びそれを用いた構造体の緑化構造に関する。
【背景技術】
【０００２】
地球温暖化やヒートアイランド現象の対策の一つとして、建物の屋根上や屋上等を植物により緑化する方法が知られている。このような屋根等の緑化は、植物の光合成による二酸化炭素等の温室効果ガスの分解や、植物や培地中の水分の蒸散によって熱を奪うことによる周囲の気温の低減等により、温暖化防止を期待できるとともに、緑化した部分では、金属製の折版屋根やコンクリート製の屋上等と比較して熱を遮る効果が高く、建物内部でのエアコン利用を低減させて、電力削減による省エネルギー化にも貢献でき、緑による景観の向上効果とも相俟って有効に利用されている。建物の屋根等を緑化する技術としては、種々提案されており、例えば、特許文献１に開示されている。特許文献１の勾配屋根の緑化システムでは、平面視方形状のベース板と、ベース板内に収められる培地材と、培地に植えられた植物と、からなる緑化ユニットを有している。そして、該緑化ユニットを、波型の金属製折版屋根からなる勾配屋根上に、その傾斜に合わせて互いに隣接して並べて緑化するものである。
【特許文献１】特開２０００−３２４９５３号公報
【発明の開示】
【発明が解決しようとする課題】
【０００３】
しかしながら、特許文献１の緑化システムは、例えば、平面視３０〜５０ｃｍ四方程度の比較的小さな大きさの緑化ユニットを広面積の勾配屋根上に１個ずつ取り付けていくものであるから、施工作業の能率が悪く、労力や時間がかかるものであった。また、主として勾配屋根を緑化することを目的とした構成であるから、ビルの外壁等の勾配屋根以外の場所を簡易に緑化することが困難なものであった。すなわち、特許文献１では、例えば、鉛直に形成されるビルの外壁を緑化しようとする際の緑化ユニットの外壁への取り付け構成や、植物培地材が脱落するのを防止する構成等の具体的な構成が開示されておらず、適用場所が勾配屋根に限定されるものであり、汎用性及び実用性に劣るものであった。また、特許文献１のものでは、各緑化ユニットは勾配屋根の傾斜に沿って配置されるので、特に急勾配の場合には、培地材中の重力水は傾斜の上方位置から下方位置に早期に移動し、傾斜の上方側位置では培地材が比較的早期に乾燥して植物が枯れやすい状態となる一方で、傾斜の下方側位置では比較的長期に湿潤状態が保持される状態となって植物の生育状態が不均一化し、植物及び緑化ユニットの頻繁な点検、手入れ、交換等が必要となり、維持管理が煩雑又は困難であるという問題があった。
【０００４】
本発明は、上記従来の課題に鑑みてなされたものであり、その一つの目的は、緑化する場所に簡便に取り付けることができ、施工作業を省力化及び施工時間を短縮化することができるとともに、例えば、建造物の勾配屋根、屋上、外壁等、適用場所が限定されず広く利用できる緑化ユニット装置及びそれを用いた構造体の緑化構造を提供することにある。さらに、他の目的は、緑化植物の生育を略均一に維持できる緑化ユニット装置及びそれを用いた構造体の緑化構造を提供することにある。
【課題を解決するための手段】
【０００５】
上記課題を解決するために本発明は、一面を開口した有底箱型容器であり、内部１８に植物培地２２を収容した緑化容器１２と、緑化容器１２を囲むように枠内配置しその内孔端面Ｇを緑化容器１２の開口面Ｆと概略面一状に支持する枠体１４と、枠体１４の内孔端面Ｇに対して緑化容器１２の開口面Ｆを所要の角度に変更調整し、かつその変更位置で枠体に対して緑化容器１２を係止保持させる角度調整係止手段（１６）と、を有することを特徴とする緑化ユニット装置１０から構成される。なお、緑化容器１２の大きさ形状は、植物や培地等その他の条件により任意に設定される。また、緑化容器１２の底に水抜き用の孔が設けられていても良い。枠体１４は、緑化ユニット装置を並べて配置した際に枠体どうしを連結できる構成としてもよい。角度調整係止手段（１６）による開口面Ｆの角度の変更方向は任意でよく、例えば、枠体を構造体に取り付けた際に緑化容器を縦軸又は横軸等の回りに回転させることとしてもよい。
【０００６】
また、角度調整係止手段（１６）は、緑化容器１２の開口面Ｆ一辺（１９１）側を枠体１４に軸支し、緑化容器１２の開口面対向他辺（１９２）側を一辺（１９１）側軸周りに回動させることにより枠体１４の内孔端面Ｇに対する緑化容器１２の開口面Ｆの角度を変更調整するものであるとよい。
【０００７】
また、枠体１４は、複数の緑化容器１２を列状に配備させた一体枠からなることとしてもよい。緑化容器の個数は、任意でよく、緑化容器１２の大きさ、重量又は緑化ユニット装置１０全体の大きさ、重量等を考慮して適宜設定される。
【０００８】
また、角度調整係止手段（１６）は、緑化容器１２の開口面一辺（１９１）側を枠体１４に軸支する第１軸支部２８と、緑化容器１２の開口面対向他辺（１９２）側を一辺（１９１）側軸周りに回動させて所要の回動位置で枠体１４に対して緑化容器１２を係止させる調整係止部３０と、を備えたこととしてもよい。
【０００９】
その際、調整係止部３０は、緑化容器１２又は枠体１４側に取り付けた軸孔（４２，４３、４４）に軸を嵌挿させて緑化容器１２の開口面対向他辺（１９２）側を支持する第２軸支部４０を含み、第１、第２軸支部２８，４０はそれぞれ枠体１４並びに緑化容器４０に対して着脱可能となっていることとしてもよい。
【００１０】
さらに、第１軸支部２８及び／又は第２軸支部４０は、緑化容器１２に固定された軸孔筒（３２、４２，４３）と、該軸孔筒（３２、４２，４３）と枠体１４の軸孔（３４、４４）とを位置合わせした状態で嵌挿するロッド（３６、４６）と、を含むこととしてもよい。第１軸支部２８又は第２軸支部４０のいずれか一方は、別の軸支構成としてもよい。
【００１１】
また、緑化容器１２の内部には、保水用の仕切り壁２６が立てて設けられたこととしてもよい。仕切り壁２６は、１個でも複数でもよく、緑化容器の内部の主として底部側を複数に分割する。特に、緑化容器１２が急傾斜で角度設定される際に有利である。また、仕切り壁２６の一部分に通水させる孔を設ける構成としてもよい。
【００１２】
また、枠体１４は緑化容器１２の開口面Ｆの角度の変更調整位置（３０）側が下部位置となるように立てて配置され、緑化容器１２の開口面Ｆの角度が斜め上向きとなるように設定されており、緑化容器１２には、上部側の緑化容器の重力水を下部側の緑化容器の植物培地に向けて流下させる通水孔５０が設けられたこととしてもよい。通水孔５０は、１個でも複数個でも良く、その場所は基本的には限定されない。また、通水孔５０の形状は、丸穴、角孔、メッシュ孔等その他任意でよく、その大きさは、例えば、植物培地が該孔から容易に流出しない程度に設定されると良い。
【００１３】
また、通水孔５０は、仕切り壁２６の立設端部と略同じ深さ位置に設定されたこととしてもよい。
【００１４】
さらに、本発明は、緑化部が構造体の外壁部Ｗであり、緑化容器１２の開口面Ｆの角度の変更調整位置（３０）側が下部位置となるように枠体１４を立てて外壁部Ｗ前面側に固定させ、角度調整係止手段(１６)を介して枠体１４の内孔端面Ｇに対する緑化容器１２の開口面Ｆの角度を斜め上向きとなるように設定させてなる緑化ユニット装置１０を用いた構造体の外面の緑化構造１００ｂから構成される。
【００１５】
さらに、本発明は、緑化部が構造体の屋根Ｒ又は屋上部であり、枠体１４を屋根Ｒ又は屋上部と平行な状態で固定させ、角度調整係止手段（１６）を介して枠体１４の内孔端面Ｇと緑化容器１２の開口面Ｆとを概略面一状となるように設定させてなる緑化ユニット装置１０を用いた構造体の外面の緑化構造１００ａから構成される。
【発明の効果】
【００１６】
本発明の緑化ユニット装置によれば、一面を開口した有底箱型容器であり、内部に植物培地を収容した緑化容器と、緑化容器を囲むように枠内配置しその内孔端面を緑化容器の開口面と概略面一状に支持する枠体と、枠体の内孔端面に対して緑化容器の開口面を所要の角度に変更調整し、かつその変更位置で枠体に対して緑化容器を係止保持させる角度調整係止手段と、を有する構成であるから、枠体を介して屋根上等の構造体の緑化部分又はその近傍に運搬して、そのまま枠体を介して構造体に取り付けることができるので、円滑に作業を行えて、労力を低減し、短時間で高効率に施工を行なうことができる。さらに、例えば、建造物の勾配屋根、屋上、外壁等、適用場所に応じて、角度調整係止手段を介して枠体の内孔端面に対する緑化容器の開口面の角度を変更調整できるので、１つのユニット装置の構成でも適用場所が限定されず広く利用できる。
【００１７】
また、角度調整係止手段は、緑化容器の開口面一辺側を枠体に軸支し、緑化容器の開口面対向他辺側を一辺側軸周りに回動させることにより枠体の内孔端面に対する緑化容器の開口面の角度を変更調整するものである構成とすることにより、例えば、高所位置での作業や、施工する緑化ユニット装置の数が多い場合、或いはひな段式の花壇や擁壁でも、緑化容器を枠体に軸支した状態で回動させることで開口面の角度調整をスムーズかつ簡便に行える。
【００１８】
また、枠体は、複数の緑化容器を列状に配備させた一体枠からなる構成とすることにより、複数の緑化容器を１ユニット化して構造体に取り付けることができるので、作業効率を向上させ、広範囲の構造体の外面側の施工をする際に有利である。さらに、一体枠構成で、構造が簡単であり、製造コストを低減しうる。
【００１９】
また、角度調整係止手段は、緑化容器の開口面一辺側を枠体に軸支する第１軸支部と、緑化容器の開口面対向他辺側を一辺側軸周りに回動させて所要の回動位置で枠体に対して緑化容器を係止させる調整係止部と、を備えたことにより、緑化容器の開口面の角度調整構成及び所要の回動位置で枠体に対して緑化容器を係止保持させる構成を具体的に実現できる。
【００２０】
また、調整係止部は、緑化容器又は枠体側に取り付けた軸孔に軸を嵌挿させて緑化容器の開口面対向他辺側を支持する第２軸支部を含み、第１、第２軸支部はそれぞれ枠体並びに緑化容器に対して着脱可能となっていることにより、調整係止部を軸支構成として簡単に具現できるとともに、該係止部側の係止作業も簡単な操作で行える。さらに、必要に応じて枠体から緑化容器を取り外して、緑化植物の交換やメンテナンス等を行なうことができ、利便性が良い。
【００２１】
また、第１軸支部及び／又は第２軸支部は、緑化容器に固定された軸孔筒と、該軸孔筒と枠体の軸孔とを位置合わせした状態で嵌挿するロッドと、を含むことにより、簡単な構成で第１、第２軸支部を構成でき、低コストで装置を製造できる。さらに、枠体の内孔端面に対して緑化容器の開口面の所要の回動変更位置で確実に緑化容器を係止保持させることができる。
【００２２】
また、緑化容器の内部には、保水用の仕切り壁が立てて設けられた構成とすることにより、例えば、仕切り壁で仕切られる緑化容器内部の複数の部分に保水して、緑化容器を水平面に対して傾斜して配置された際でも植物培地中の水が一方に偏ることなく全体的に略均一な保水状態を保持することができ、緑化植物の生育状態を略均一に維持できる。
【００２３】
また、枠体は緑化容器の開口面の角度の変更調整位置側が下部位置となるように立てて配置され、緑化容器の開口面の角度が斜め上向きとなるように設定されており、緑化容器には、上部側の緑化容器の重力水を下部側の緑化容器の植物培地に向けて流下させる通水孔が設けられた構成とすることにより、通水孔を介して上段側の緑化容器へ給水するだけで下段側の緑化容器にも給水することができ、降雨の利用や上方側のみに給水装置を設置するだけの簡単な構成だけでも効率よく給水して緑化植物を維持することができる。
【００２４】
また、通水孔は、仕切り壁の立設端部と略同じ深さ位置に設定された構成とすることにより、仕切り壁による緑化容器内部の保水及び流水の条件と略同じ条件で通水孔を介して保水、流水を行なうことができ、植物培地全体で略均一に保水されて、緑化植物を略均一に生育できる。
【００２５】
さらに、本発明の緑化ユニット装置を用いた緑化構造によれば、緑化部が構造体の外壁部であり、緑化容器の開口面の角度の変更調整位置側が下部位置となるように枠体を立てて外壁部前面側に固定させ、角度調整係止手段を介して枠体の内孔端面に対する緑化容器の開口面の角度を斜め上向きとなるように設定させてなる構成とすることにより、緑化部が構造体の外壁部の場合に、緑化容器内部の植物培地が落下することなく、しかも、培地の保水並びに緑化植物を維持できる構成を具体的に実現することができる。同時に、緑化ユニット装置を製造しておくことで、枠体を介して運搬して、該外壁部に取り付けることができるので、施工性がよく、効率良く緑化施工を行なえる。さらに、構造体の外壁部がほとんど露出しないようにユニット装置を並べて施工することで、良好な景観を得ることができる。
【００２６】
さらに、本発明の緑化ユニット装置を用いた緑化構造によれば、緑化部が構造体の屋根又は屋上部であり、枠体を屋根又は屋上部と平行な状態で固定させ、角度調整係止手段を介して枠体の内孔端面と緑化容器の開口面とを概略面一状となるように設定させてなる構成とすることにより、緑化部が構造体の屋根又は屋上部の場合でも同様に、緑化ユニット装置を製造しておくことで、枠体を介して運搬して、該構造体に取り付けることができるので、施工性がよく、効率良く緑化施工を行なえる。
【発明を実施するための最良の形態】
【００２７】
以下添付図面を参照しつつ本発明の緑化ユニット装置及びそれを用いた構造体の外面の緑化構造を説明する。本発明の緑化ユニット装置は、緑化容器と、枠体と、角度調整係止手段と、を含み、例えば、建造物の屋根、屋上部又は外壁部等の構造体に、水平部分、鉛直部分、傾斜部分等場所を問わず枠体を介して取り付けられ該構造体を簡易に緑化することができるものである。
【００２８】
図１ないし図８は、本発明の緑化ユニット装置の一実施形態を示している。図１、図２に示すように、本実施形態において、緑化ユニット装置１０は、緑化容器１２と、枠体１４と、角度調整係止機構１６と、を有している。
【００２９】
緑化容器１２は、図１、図４、図７に示すように、底壁１３と４周側壁１５ａ〜１５ｄとを有し、該底壁１３と側壁とにより植物培地２２を収容する収容空間１８を形成しつつ一面を開口１９した、有底箱型容器である。緑化容器１２は、例えば、硬質プラスチックの合成樹脂で一体成型されており、平面上に横置きした状態で、縦、横、高さが約１００ｃｍ、約５０ｃｍ、約１０ｃｍ程度の一方に長く底の浅い略矩形トレイ状の収容ケースとなっている。なお、緑化容器１２の形状大きさは任意でよく、例えば、外観が立体三角形状、立体四角形状、その他任意の立体多角形状、あるいは円筒状、楕円筒状、その他任意形状の有底箱型容器でもよい。また、例えば、開口面形状が三角形、正方形、台形、五角形以上の多角形、それらの角丸形状、円形、楕円形、長丸、その他の形状となるものでもよい。本実施形態では、緑化容器の４周側壁の高さは一定に設定されており、該側壁上端側で形成される開口面Ｆが底壁１３と平行に設けられている。さらに、緑化容器１２の４周側壁１５ａ〜１５ｄの上端側には開口の全周縁にわたり外側に向けて広がったつば部２０が設けられている。緑化容器１２の収容内部１８には、後述する保水用の仕切り壁２６が立てて設けられている。緑化容器１２内に収容される植物培地２２としては、保水性・通気性のある軽量土壌が好適であり、本実施形態では、例えば、醗酵処理した植物繊維質材や土、及び土壌流出防止剤等を混合したものからなる。植物培地２２に生育される緑化植物２４としては、例えば、芝やセダム、その他の草花類、苔類等の比較的丈が低く群生して培地全面を覆うような植物からなり、製造時に植物培地中に種子等を混合させて、又は製造後に種子を蒔いて生育される。なお、緑化容器１２内に植物培地を収容した後に、ある程度生長したものを敷設してもよい。また、本実施形態では、１つの緑化ユニット装置１０に４個の緑化容器１２を有しており、開口面Ｆの長辺１９１、１９２が互いに隣接するように列状配置された状態で枠体１４に支持されている。
【００３０】
枠体１４は、図１、図２、図３に示すように、緑化容器１２を囲むように枠内配置して該緑化容器１２を支持する支持枠である。本実施形態における具体的な緑化容器１２の枠体１４への支持構成としては、後述の角度調整係止機構１６を構成する第１、第２軸支部により構成されている。本実施形態では、枠体１４は、列状に配置された４個の緑化容器１２をまとめて枠内配置させる平面視横長矩形状の一体枠からなり、例えば、断面Ｃ形又は矩形状の強度のある鋼材等からなる枠部材１４１〜１４４を４周枠状に組み付けて中央に該緑化容器１２を収容する内孔を囲み形成するように設けられている。枠体１４を介して複数の緑化容器を１ユニット化することにより、容易に構造体の緑化場所に持ち運ぶことができると同時に、該枠体１４を介して構造体に対して取り付けることで、緑化容器の開口面面積×個数分、例えば、本実施形態では、約１００ｃｍ×約５０ｃｍ×４の領域を緑化することができる。よって、例えば、従来のように面積の小さな緑化ユニットを１個ずつ配置させるものと比較して施工性が良く、緑化施工作業を省力、短期間で行うことができる。なお、枠体を構成する枠部材は、緑化容器を支持するのに十分な強度のあるものであればよく、断面形状がＩ形、Ｈ形、Ｌ形等その他任意形状の金属製、合成樹脂製等のものでもよい。図２、図７において、枠体１４は、各緑化容器１２の開口面Ｆが上向きで、枠体１４の枠部材上縁部分で形成される内孔端面Ｇと概略面一状になるように支持しているが、図８に示すように角度調整係止機構１６を介して、該開口面の角度を変更した状態でも緑化容器を支持する。なお、本実施形態では、枠体１４の内孔端面Ｇより緑化容器１２の開口面Ｆが若干段下がり状に配置された構成であるが、本形態とは逆に開口面Ｆが内孔端面Ｇより段上がり状に（図２上、上方向に）突出した構成でもよく、或いは、内孔端面Ｇと開口面Ｆとが略完全に面一となるように設けてもよい。図３に示すように、枠体１４の長手方向の枠部材１４１，１４２には、複数の軸孔３４，４４が、該長さ方向に沿って直線上に所定間隔で設けられており、それぞれ第１、第２軸支部２８，４０の構成要素となっている。
【００３１】
角度調整係止機構１６は、枠体１４の内孔端面Ｇに対して緑化容器１２の開口面Ｆを所要の角度に変更調整し、かつその変更位置で枠体１４に対して緑化容器１２を係止保持させる角度調整係止手段である。さらに言い換えると、角度調整係止機構１６は、各緑化容器１２の開口面の枠体１４の内孔端面に対する角度調整手段であるとともに各緑化容器１２の枠体１４に対する係止手段である。本実施形態では、図７、図８に示すように、角度調整係止機構１６は、緑化容器１２の開口面Ｆの対向する長辺１９１，１９２側（長辺側壁１５ａ，１５ｂ側）の部位で該緑化容器１２と枠体１４とを係止させる構成となっている。詳細には、角度調整機構１６は、緑化容器１２の開口面の一の長辺側１９１を枠体１４に対して軸支する第１軸支部２８と、該開口面の他の長辺側１９２を枠体１４に対して係止させる調整係止部３０と、を有している。そして、第１軸支部２８を介して緑化容器１２の開口面Ｆの他の長辺１９２側を一の長辺１９１側軸周りに回動させることにより枠体１４の内孔端面Ｇに対する緑化容器の開口面Ｆの角度を変更調整するとともに、調整係止部３０により所要の回動位置で枠体に対して緑化容器１２を係止保持させる。
【００３２】
さらに詳細には、図５、図７、図９に示すように、第１軸支部２８は、本実施形態では、緑化容器１２に固定された第１軸孔筒３２と、枠体１４に設けられた第１軸孔３４と、第１軸孔筒３２と第１軸孔３４とを嵌通する第１ロッド３６と、を含む。第１軸孔筒３２は、例えば、緑化容器１２の開口面の一の長辺１９１に対応する長辺側壁１５ａの外側の上端側（開口側）に該長辺側壁１５ａに一体的に設けられた略円管状の筒部で形成されており、その軸孔が開口面の向きと直交しつつ該開口面の長辺１９１と平行方向に設定されている。第１軸孔３４は、本実施形態では、枠部材の長手方向に長く設けられた長孔からなり、枠体の内孔に配置される緑化容器に設けられた第１軸孔筒３２と対応する位置に穿孔されている。第１ロッド３６は、例えば、第１軸孔筒の内径と略同じ外径となる断面円形の金属製ロッドからなり、両端側に雄ねじ部３７が形成されている。第１ロッド３６は、図９に示すように、第１軸孔筒３２の軸孔と枠体の第１軸孔３４とを略軸芯合わせした状態で、該第１軸孔筒と枠体とを串刺しするように嵌挿されて、両端側の雄ねじ部３７に枠体の両外側からナット３８を締め付け固定して支持される。第１ロッド３６は、ナットを緩めた状態では、該第１軸孔の長孔に沿って移動できるようになっている。
【００３３】
調整係止部２８は、図６、図７、図９に示すように、本実施形態では、上記第１軸支部と略同じ軸支構成で２つの軸孔筒を有する構成となっており、緑化容器１２に固定された２つの第２軸孔筒４２、４３と、枠体に設けられた第２軸孔４４と、第２軸孔筒４２（４３）と第２軸孔４４とを嵌通する第２ロッド４６と、を含む第２軸支部４０を有している。２つの第２軸孔筒は、緑化容器１２の他の長辺１９２側に対応した長辺側壁１５ｂ側であって該緑化容器の深さ方向に互いに離隔した位置に一体的に形成されている。本実施形態では、第２軸孔筒は、該長辺側壁１５ｂの上端側（開口側）に配置された開口側第２軸孔筒４２と、該長辺側壁１５ｂと底壁との略隅部位置に配置された底側第２軸孔筒４３と、からなる。開口側第２軸孔筒４２と、底側第２軸孔筒４３と、のいずれか一方の軸孔筒を選択して係止することにより、緑化容器の開口面の角度が変更調整された状態で枠体１４に対して緑化容器１２を係止保持する。第２軸孔筒４２、４３の軸孔は、第１軸孔筒の軸孔と平行方向に設定されている。枠体１４の第２軸孔４４は、第１軸孔同様に、枠部材の長手方向に長く設けられた長孔からなり、枠体１４の内孔に配置される緑化容器１２の第２軸孔筒４２（又は４３）と対応する位置に穿孔されている。第２ロッド４６は、図９に示すように、開口側第２軸孔筒４２又は底側第２軸孔筒４３のいずれか一方の軸孔と枠体１４の第２軸孔４４とを略軸芯合わせした状態で、該第２軸孔筒と枠体とを串刺しするように嵌挿されて、両端側の雄ねじ部４７に枠体の両外側からナット４８を締め付け固定して係止される。第２ロッド４６は、ナットを緩めた状態では、該第２軸孔の長孔に沿って移動できるようになっている。
【００３４】
上記のように第１、第２軸支部２８、４０を構成することにより、図７に示すように、第１軸支部２８側を軸支した状態で、第２軸支部４０側において、開口側の第２軸孔筒４２と第２軸孔４４とを位置合わせして第２ロッド４６を嵌挿することで、緑化容器１２の開口面Ｆは枠体１４の内孔端面Ｇと概略面一に（例えば、開口面と内孔端面の角度が０度）に係止される。第２軸支部４０側の第２ロッド４６を枠体の第２軸孔４４及び緑化容器１２の第２軸孔筒４２に対して着脱可能となっており、該第２ロッドを離脱させると、第１軸支部２８により、第１ロッド３６を軸として緑化容器１２を自在に軸周り回動できる。図８に示すように、第２軸支部４０側で、底側の第２軸孔筒４３と枠体の第２軸孔４４とを位置合わせして第２ロッド４６を軸孔の貫通方向に嵌挿すると、緑化容器の開口面Ｆは枠体の内孔端面Ｇに対して角度θで係止される。
【００３５】
これにより、例えば、図１１に示すような建造物の勾配屋根Ｒ等の傾斜面に枠体１４を取り付ける際には、第２軸支部４０側では開口側第２軸孔筒４２が選択されて、緑化容器１２の開口面Ｆは枠体１４の内孔端面Ｇと概略面一にした状態で配置される。他方では、例えば、図１３に示すように、建造物の外壁部Ｗ等の鉛直面に枠体を取り付ける場合には、開口面の角度の変更調整部となる第２軸支部４０側が下部位置となるように、すなわち、回動軸となる第１ロッド３６が水平横方向に設定されるように、枠体１４が立てて配置される。そして、第２軸支部４０側では、底側第２軸孔筒４３が選択されて、緑化容器から培地が落下しないように該開口面Ｆが枠体１４の内孔端面Ｇに対して角度θとなり斜め上向きとなるように設定される。なお、本実施形態では、枠体に設けられた第１、第２軸孔３４，４４は長孔からなるので、例えば、緑化容器１２の開口面Ｆを枠体１４の内孔端面Ｇと概略面一にした状態で係止支持する際には、緑化容器のつば部２０が互いに密着するように配置させるとよい。これにより、枠体を屋根部等に固定する際に上部側から下部側の緑化容器に水が流れて全体を簡便に給水することができる一方、緑化容器１２の開口面の角度を変更調整する際には、第１、第２ロッドの貫通位置をずらすことができ、隣接する緑化容器１２の間隔に余裕を持たせて容易に角度調整作業を行うことができる。さらに、第１軸支部２８側の第１ロッド３６も枠体の第１軸孔３４及び緑化容器の第１軸孔筒３２に対して着脱可能となっており、第１、第２軸支部２８，４０ともに、第１、第２ロッド３６，４６を挿脱させることで、緑化容器１２を枠体１４に対して着脱させることができる。これにより、屋根部や外壁部等の緑化する構造体に枠体１４を取り付けた状態でも必要に応じて各緑化容器１２ごとに取り外して交換やメンテナンス等を行うことができる。
【００３６】
なお、本実施形態では、第２軸支部４０側の第２軸孔筒が複数設けられることで角度の変更調整部の具体的な構成しているが、これに限らず、例えば、第２軸孔筒は１個の構成で、枠体側の第２軸孔を複数配置させ、いずれかの第２軸孔と第２軸孔筒とを位置合わせして第２ロッドを嵌挿することにより、開口面の角度調整を行えるように構成してもよい。また、調整係止部は、第２軸支部構成に限らず、開口面の所要角度（回動位置）で係止保持する構成であれば任意でよく、例えば、緑化容器１２の開口面の他辺側と枠体１４との間に渡設状に配置されて端部を係止する棒部材や板部材等を有するスタンド構成でもよい。また、角度調整係止機構１６は、第１、第２ロッド３６、４６を緑化容器１２に固定して、枠体１４に設けた軸孔に該第１、第２ロッドの端部をそれぞれ係止させる構成としてもよい。その際、枠体に設ける軸孔を長孔に設けたり、枠体に該軸孔の貫通方向と直交方向に軸孔に連通する通路等を設けたりしておくと緑化容器１２を枠体１４に対して着脱しやすい。また、角度調整係止機構１６は、例えば、図１６に示すように、上記のような軸孔筒３２、４２，４３の代わりにロッドを受ける受凹部を有するフック部５６を緑化容器１２の外部側に設けた構成でもよい。フック部構成とした場合、該フック部の受凹部に横からロッドを挿脱できるように連通させる着脱間隙部５４とを介してロッド３６，４６に対して着脱が行なえるので、上記のような軸孔筒の構成と比較して緑化容器の着脱や角度調整操作が容易に行なえる。また、例えば、緑化容器１２の外部側にブラケットを設けて、該ブラケットと枠体１４とをロッド又はボルトナットを介して連結するようにしてもよい。この際、ボルトナット連結位置を変更して、緑化容器の開口面の角度を変更調整するとよい。また、角度調整係止機構１６は、緑化容器の開口面の対向する辺側にそれぞれ第１軸支部、調整係止部を設けるものに限らず、例えば、平面視で開口面を横切るような位置の底壁又は４周側壁の任意の位置で枠体に軸支される構成としてもよい。なお、枠体の軸孔を長く形成してロッドを軸孔内でスライド移動させてその係止位置を変更調整できるようにしてもよい。
【００３７】
図４、図７に示すように、緑化容器内部に設けられた仕切り壁２６は、本実施形態では、底壁１３から開口側に向けて該底壁１３に対して垂直に突設して設けられている。仕切り壁２６は、４周側壁より低い高さに設定されており、本実施形態では、その突設端部が緑化容器１２の収容内部の深さの略半分となっており、該緑化容器に収容される植物培地内に埋没されるように設けられている。この仕切り壁２６は、図１３、図１５に示すように、第２軸支部４０側を下部位置として枠体１４を屋根部や外壁部等の緑化部分に取り付けられて緑化容器１２の開口面Ｆを斜め上方向となるように緑化容器が傾斜された状態で配置される際に、該緑化容器１２の傾斜方向に対して直交方向となるに配置されている。この仕切り壁２６は、緑化容器１２の収容内部の底壁１３側を傾斜方向に複数の位置で仕切りつつ開口側は連通させており、傾斜方向の複数位置で段階的に水を保持する保水手段となっている。本実施形態では、緑化容器１２の長辺側壁１５ａ，１５ｂと平行に複数（図上、３個）設けられており、傾斜方向に複数（図上、４個）の保水部を形成している。例えば、緑化容器の傾斜上方位置側から雨水や図示しない給水装置により給水されると、仕切り壁内側に所定量の水が保水されるとともに、矢視Ｘ１に示すように仕切り壁の突設端部から溢流状に流れていき、下方側に向けて順に保水される。これにより、緑化容器が傾斜状態であっても、例えば重力水等の植物培地２２中の水が、早期に傾斜下部側（第２軸支部４０側）に移動してしまうのを良好に防止し、傾斜上方位置から下方位置にかけて培地２２全体がほぼ均一な保水状態で保持されることとなり、緑化植物２４を略均一に生育することができる。また、仕切り壁２６は、水だけでなく植物培地の傾斜方向への移動を規制しつつ、緑化植物２４の根の活着を良くさせることで、該植物培地２２の容器外側への流出を防止できる。
【００３８】
さらに、図４、図９に示すように、緑化容器１２の開口面の他の長辺１９２側に対応する長辺側壁１５ｂには、該長辺側壁１５ｂを貫通する複数の通水孔５０が設けられている。例えば、図１４、図１５に示すように、第２軸支部４０側が下部位置となるように枠体１４が立てて配置され、角度調整係止機構１６を介して緑化容器１２の開口面Ｆが斜め上向きに設定された際には、各緑化容器１２が段状に傾斜して配置されることにより、各緑化容器１２の開口の下部側縁部は、略鉛直面状に揃うこととなる。よって、雨水や図示しない給水装置により装置上方側から給水されても、該緑化容器の開口の下部側縁部から水を流出させる構成では、下部側の緑化容器の植物培地に水が流下することがなく、緑化容器ごとの給水が必要となり給水構成が煩雑となるおそれがある。本実施形態では、枠体を立てた状態での緑化容器１２の下部位置となる長辺側壁１５ｂに通水孔５０を設けることで、図１５の矢視Ｘ２に示すように、該通水孔５０を介して上段側の緑化容器１２内の重力によって植物培地中を自由に移動する重力水を下段側の緑化容器１２の植物培地に向けて流下させることができる。よって、上段側の緑化容器１２へ給水するだけで下段側の緑化容器１２へも給水することができ、降雨の利用や上方側のみに給水装置を設置するだけの簡単な構成で効率よく全体に給水を行うことができる。本実施形態では、通水孔５０は、仕切り壁２６の突設端部の高さと略同じ高さとなるような長辺側壁１５ｂの深さ位置に設定されている。これにより、緑化容器の内部の仕切り壁と長辺側壁１５ｂとの間に形成される部位でも該仕切り壁２６で形成される部位と略同じ条件で保水及び流水することができ、植物培地の湿潤条件を略均一に保持できる。なお、通水孔５０からの排出水は、例えば、該通水孔から直接に、又は側壁１５ｂの外面に沿った後に下部側の緑化容器の植物培地上に流下する。
【００３９】
上記のように構成される緑化ユニット装置１０は、例えば、工場等で緑化植物の種子を混合した植物培地を収容した緑化容器１２と、枠体１４と、をそれぞれ製造し、角度調整係止機構１６を構成する第１軸支部２８、第２軸支部４０を介して、枠体１４に緑化容器１２を支持させる。この際、第２軸支部は開口側第２軸孔筒４２側を枠体１４の第２軸孔４４と位置合わせして第２ロッド４６で嵌挿しており、開口面と内孔端面とが概略面一状に設定している。そして、図１０に示すように、例えば、緑化ユニット装置１０を、床Ｆ上に対向配置した長尺の鋼材からなる支持材６０を介して水平になるように並べて配置させた状態で、所要期間水撒き等管理しながら緑化植物を生育する。緑化植物２４がある程度生長して状態で出荷され、ユニットごとに枠体１４を介して持ち運びし、該枠体１４を介して構造体の緑化する部分に容易に取り付けることができる。
【００４０】
図１１、図１２、図１３に示すように、本実施形態に係る緑化ユニット装置１０を用いて、例えば、勾配して構築された折版屋根Ｒや波型スレート屋根等の傾斜屋根面上を緑化施工する場合には、予め緑化ユニット装置１０の上記のように角度調整係止機構１６を介して緑化容器１２の開口面Ｆと枠体１４の内孔端面Ｇとを概略面一状に設定した状態で係止しておく。そして、折版屋根Ｒ上に、複数の固定用桟部材１００を屋根の流れと直交方向に所定の間隔ごとに離隔しながら配置し、該枠固定桟部材６２と折版屋根とを屋根を貫通するボルト等を介して固定する。折版屋根Ｒに固定した枠固定桟部材６２上に枠体１４を緑化容器１２の開口面を上向きとしつつ該枠体の長手方向が折版屋根の流れ方向となるように配置させ、該枠体１４を折版屋根Ｒと平行にした状態でボルトナット等により固定する。なお、枠固定桟部材６２は、例えば、屋根上に取り付けられる既設の太陽光発電設備や温水設備等を支持する固定用桁材等を利用しても良い。その際、作業の省力化、短縮化、及びコスト低減を図ることができる。このようにして緑化ユニット装置１０を折版屋根上に縦横に並べて配置させて、折版屋根を面状に緑化した屋根部の緑化構造１００ａが構築される。なお、枠固定桟部材６２を介さず枠体１４を折版屋根Ｒにボルトナットを介して固定する構成としてもよい。さらに、例えば、同緑化ユニット装置１０を用いてコンクリート製ビルディングの屋上部、ベランダ等の水平面を緑化する場合も同様に、屋上部等の水平面に枠体を平行になるように緑化ユニット装置を並べて配置させることで屋上部の緑化構造を構築することができる。
【００４１】
一方、図１４、図１５に示すように、同緑化ユニット装置１０を用いて、例えば、ビルの外壁部Ｗ等の鉛直面を緑化施工する場合には、緑化ユニット装置１０は、第２軸支部４０側が下部側となるように枠体１４を立てた状態で、外壁部Ｗの前面側に固定される。この際、上記のように角度調整係止機構１６を介して、緑化容器の開口面Ｆは枠体の内孔端面Ｇに対してθの角度をつけて係止支持させて（図６参照）、開口面Ｆが斜め上向きとなるように設定される。枠体１４を外壁部に固定する際には、例えば、外壁部Ｗの前面側に枠固定桟部材６４をその長手方向が水平方向になるように配置させてボルト等で固定し、該枠固定桟部材６４に枠体をボルトナット等を介して固定される。緑化ユニット装置１０を外壁部全面側に縦横に並べて配置させて、外壁部Ｗを略面状に緑化した外壁部の緑化構造１００ｂが構築される。
【００４２】
以上説明した本発明の緑化ユニット装置及びそれを用いた構造体の緑化構造は、上記した実施形態のみに限定されるものではなく、特許請求の範囲に記載した本発明の本質を逸脱しない範囲において、任意の改変を行ってもよい。
【産業上の利用可能性】
【００４３】
本発明の緑化ユニット装置及び構造体の緑化構造は、例えば、ビル、マンション、工場、体育館、学校、公共施設、その他の建造物の折版屋根や波型スレート屋根等を含む勾配屋根部、屋上部、外壁部、又はひな壇式の花壇や擁壁等を緑化するのに有効に適用される。
【図面の簡単な説明】
【００４４】
【図１】本発明の実施形態に係る緑化ユニット装置の平面説明図である。
【図２】図１の緑化ユニット装置の側面拡大図である。
【図３】枠体の側面図である。
【図４】緑化容器の一部切欠斜視説明図である。
【図５】図１のＡ−Ａ線断面説明図である。
【図６】図１のＢ−Ｂ線断面説明図である。
【図７】図１のＣ−Ｃ線断面の１つの緑化容器部分の拡大図である。
【図８】角度調整係止手段の作用説明図である。
【図９】角度調整係止手段を介して緑化容器を枠体に支持させる状態を示す一部の分解斜視説明図である。
【図１０】図１の緑化ユニット装置の製造時に植物を生育する際の説明図である。
【図１１】緑化ユニット装置を折版屋根上に装置した状態及び緑化構造の概略を示す斜視説明図である。
【図１２】図１０の一部断面説明図である。
【図１３】図１１の一部拡大図及び作用説明図である。
【図１４】緑化ユニット装置を構造体の外壁部に取り付けた状態及び緑化構造の概略を示す断面図である。
【図１５】図１４の一部拡大図及び作用説明図である。
【図１６】角度調整係止手段の他の形態の要部説明図である。
【符号の説明】
【００４５】
１０    緑化ユニット装置
１２    緑化容器
１４    枠体
１６    角度調整機構
２２    植物培地
２６    仕切り壁
２８    第１軸支部
３０    調整係止部
３２    第１軸孔筒
３４    第１軸孔
３６    第１ロッド
４０    第２軸支部
４２，４３    第２軸孔筒
４４    第２軸孔
４６    第２ロッド
５０    通水孔
１００ａ    屋根部の緑化構造
１００ｂ    外壁部の緑化構造
【図１】
2007151429.tif 000003
【図２】
2007151429.tif 000004
【図３】
2007151429.tif 000005
【図４】
2007151429.tif 000006
【図５】
2007151429.tif 000007
【図６】
2007151429.tif 000008
【図７】
2007151429.tif 000009
【図８】
2007151429.tif 000010
【図９】
2007151429.tif 000011
【図１０】
2007151429.tif 000012
【図１１】
2007151429.tif 000013
【図１２】
2007151429.tif 000014
【図１３】
2007151429.tif 000015
【図１４】
2007151429.tif 000016
【図１５】
2007151429.tif 000017
【図１６】
2007151429.tif 000018